(57)【要約】      （修正有）【課題】入射光を領域毎に適切に絞ることができ、ローカルディミング制御を適用可能な表示装置を提供する。【解決手段】液晶表示パネルと、この液晶表示パネルの背面に対向して設けられたバックライト装置と、を備えている。バックライト装置は、液晶表示パネルの背面に対向する導光板３６と、導光板３６の入射面に対向して設けられた複数の光源４４ｂと、導光板３６に対向して設けられた反射シートと、を有している。導光板３６は、それぞれ第１主面、第２主面、入射面、および第１主面および入射面と直交する側面を有する複数の分割導光板４０ａ、４０ｂ、４０ｃ、４０ｄと、これらの分割導光板の側面を互いに接合しているとともに分割導光板の光学特性と異なる光学特性を有する粘着部材４６と、を有している。【選択図】図４
2018017804.tif 000002
【特許請求の範囲】
【請求項１】
表示面およびこの表示面と反対側の背面を有する液晶表示パネルと、
前記液晶表示パネルの背面に対向する第１主面と、前記第１主面と反対側の第２主面と、前記第１主面及び第２主面を接続した複数の端面であって、入射面を構成する端面を含む複数の端面と、を有する導光板と、前記入射面に対向して設けられた複数の光源と、前記第２主面に対向して設けられた反射シートと、を具備するバックライト装置と、備え、
前記導光板は、それぞれ前記第１主面、第２主面、入射面、および前記第１主面および入射面と直交する側面を有する複数の分割導光板と、これらの分割導光板の側面を互いに接合しているとともに前記分割導光板の光学特性と異なる光学特性を有する粘着部材と、を有している表示装置。
【請求項２】
前記粘着部材は、前記分割導光板の屈折率と異なる屈折率を有する請求項１に記載の表示装置。
【請求項３】
前記粘着部材は、前記分割導光板の屈折率よりも小さい屈折率を有する請求項２に記載の表示装置。
【請求項４】
前記バックライト装置は、前記複数の分割導光板の入射面にそれぞれ対向して設けられた複数の光源を含んでいる請求項１から３のいずれか１項に記載の表示装置。
【請求項５】
前記導光板は、前記第１主面に設けられた第１凹凸パターンを有し、前記第１凹凸パターンは、前記入射面側からこの入射面と直交する第１方向にそれぞれ延びる複数の縦凸条を含んでいる請求項１から４のいずれか１項に記載の表示装置。
【請求項６】
前記導光板は、前記第２主面に設けられた第２凹凸パターンを有し、前記第２凹凸パターンは、前記第２主面に突設された複数のドット状あるいは半球状の第２凸部を有し、各分割導光板において、前記入射面側からこの入射面と直交する第１方向に向かって、前記第２凸部のパターン設置密度が増加している請求項１から５のいずれか１項に記載の表示装置。
【請求項７】
前記分割導光板の各々において、前記第２凹凸パターンは、前記第１方向と直交する第２方向について、第２凸部のパターン設置密度が変化している請求項６に記載の表示装置。
【請求項８】
前記導光板は、それぞれ前記第１主面、第２主面、入射面、および前記第１主面および入射面と直交する側面を有する４枚の分割導光板と、これらの分割導光板の側面を互いに接合しているとともに前記分割導光板の光学特性と異なる光学特性を有する粘着部材と、を備え、前記バックライト装置は、前記４枚の分割導光板の入射面にそれぞれ対向して配置された複数の光源を有している請求項１から７のいずれか１項に記載の表示装置。
【請求項９】
液晶表示パネルと、前記液晶表示パネルに光を照射するバックライトとを、備え、
前記バックライトは、光源と、複数の導光板とを有し、
前記複数の導光板の各々は、第１主面、前記第１主面に対向する第２主面、前記第１主面と前記第２主面との間の複数の側面とを有し、
前記複数の導光板の隣合う２つの導光板は、それぞれの前記側面が対向するように配置され、
対向する２つの前記側面は粘着部材で接合され、
前記粘着部材は、前記導光板の屈折率よりも小さい屈折率を有することを特徴とする表示装置。
【請求項１０】
前記複数の導光板は、前記粘着部材で接合されない側面を入射面として有し、
前記光源から出射した光は、前記入射面から入射し、
前記第１主面には、前記入射面から入射した光の進行方向に伸びる凸部を有することを特徴とする請求項９に記載の表示装置。
【請求項１１】
前記凸部は、複数の円弧が前記入射面に平行な方向に連続する形状を有することを特徴とする請求項１０に記載の表示装置。
【請求項１２】
前記凸部の前記入射面に平行な断面は、前記第１主面に接続する円弧と、前記第１主面に平行な線とからなることを特徴とする請求項１０に記載の表示装置。
【請求項１３】
液晶表示パネルと、前記液晶表示パネルに光を照射するバックライトとを、備え、
前記バックライトは、光源と、複数の導光板とを有し、
前記複数の導光板の各々は、矩形状の第１主面、前記第１主面に対向する第２主面、前記第１主面と前記第２主面とを接続する複数の側面とを有し、
前記矩形状の第１主面は、対向する1対の長辺と、対向する一対の短辺とを有し、
各々の前記導光板は、隣合った前記導光板と、前記長辺に沿った側面で接着材により接合され、
前記接着材は、前記導光板の屈折率よりも小さい屈折率を有することを特徴とする表示装置。
【請求項１４】
前記複数の導光板は、前記接着材で接合されない前記短辺に沿った側面を入射面として有し、
前記光源から出射した光は、前記入射面から入射し、
前記第１主面には、前記入射面から入射した光の進行方向に伸びる凸部を有することを特徴とする請求項１３に記載の表示装置。
【請求項１５】
前記凸部は、複数の円弧が前記入射面に平行な方向に連続する形状を有することを特徴とする請求項１４に記載の表示装置。
【請求項１６】
前記凸部の前記入射面に平行な断面は、前記第１主面に接続する円弧と、前記第１主面に平行な線とからなることを特徴とする請求項１４に記載の表示装置。
【発明の詳細な説明】
【技術分野】
【０００１】
本発明の実施形態は、表示装置に関する。
【背景技術】
【０００２】
近年、スマートフォン、タブレットコンピュータ等の携帯端末の表示装置、あるいは、車載機器の表示装置として、液晶表示装置が広く用いられている。一般に、液晶表示装置は、液晶表示パネルと、この液晶表示パネルの背面に対向して配置され液晶表示パネルを照明する照明装置（バックライト装置）と、を備えている。  
照明装置は、液晶表示パネルに対向する出射面を有する導光板と、この導光板に重ねて載置された光学シートと、導光板の背面に対向して設けられた反射シートと、導光板の入射面（端面）に光を入射する光源と、を備えている。導光板に入射した光は、導光板内で反射を繰り返し、出射面の全面から液晶表示パネルに向けて出射する。
【０００３】
一方、近年、表示装置において、複数の光源の発光量を個別に制御することにより表示画像のコントラストを高める方法、いわゆるローカルディミング制御（領域別調光制御）が提案されている。しかしながら、上述した液晶表示装置の導光板では、端面から入射した光を充分に絞ることができず、バックライト全体、すなわち、導光板全体が光ってしまい、部分点灯することが難しい。従って、上述した液晶表示装置においては、ローカルディミング制御を行うことが困難となる。
【先行技術文献】
【特許文献】
【０００４】
【特許文献１】特開２０１２−１７７８８１号公報
【発明の概要】
【発明が解決しようとする課題】
【０００５】
この発明の実施形態の課題は、入射光を領域毎に適切に絞ることができ、ローカルディミング制御を適用可能な表示装置を提供することにある。
【課題を解決するための手段】
【０００６】
実施形態に係る表示装置は、表示面およびこの表示面と反対側の背面を有する液晶表示パネルと、前記液晶表示パネルの背面に対向する第１主面と、前記第１主面と反対側の第２主面と、前記第１主面及び第２主面を接続した複数の端面であって、入射面を構成する端面を含む複数の端面と、を有する導光板と、前記入射面に対向して設けられた複数の光源と、前記第２主面に対向して設けられた反射シートと、を具備するバックライト装置と、備えている。前記導光板は、それぞれ前記第１主面、第２主面、入射面、および前記第１主面および入射面と直交する側面を有する複数の分割導光板と、これらの分割導光板の側面を互いに接合しているとともに前記分割導光板の光学特性と異なる光学特性を有する粘着部材と、を有している。
【図面の簡単な説明】
【０００７】
【図１】図１は、第１の実施形態に係る液晶表示装置の表示面側を示す斜視図。
【図２】図２は、前記液晶表示装置の分解斜視図。
【図３】図３は、図１の線III―IIIに沿った液晶表示装置の縦断面図。
【図４】図４は、前記液晶表示装置におけるバックライト装置の導光板を概略的に示す平面図。
【図５】図５は、前記液晶表示装置の導光板の出射面（第１主面）側を示す斜視図。
【図６】図６は、前記導光板の出射面（第１主面）の一部を拡大して示す斜視図。
【図７Ａ】図７Ａは、前記導光板の縦凸条の断面形状を模式的に示す図。
【図７Ｂ】図７Ｂは、前記導光板の縦凸条の断面形状を模式的に示す図。
【図７Ｃ】図７Ｃは、前記導光板の縦凸条の断面形状を模式的に示す図。
【図８】図８は、前記導光板の反射面（第２主面）側を示す斜視図。
【図９】図９は、前記導光板の反射面（第２主面）の一部を拡大して示す斜視図。
【図１０】図１０は、前記導光板の反射面における第２凹凸パターンのパターン密度分布を概略的に示す図。
【発明を実施するための形態】
【０００８】
以下、図面を参照しながら、この発明の実施形態について詳細に説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（第１の実施形態）  
図１は、第１の実施形態に係る液晶表示装置の表示面側を示す斜視図、図２は、液晶表示装置の分解斜視図、図３は、液晶表示装置の断面図である。  
液晶表示装置１０は、例えばスマートフォン、タブレット端末、携帯電話機、携帯型ゲーム機、電子辞書、或いはテレビジョン装置などの各種の電子機器、あるいは、ナビゲーションシステム、メータパネル等の車載機器に組み込んで使用することができる。
【００１０】
図１および図２に示すように、液晶表示装置１０は、アクティブマトリクス型の液晶表示パネル１２と、液晶表示パネル１２の背面に対向して設けられた面状照明装置（バックライト装置）３０と、これら液晶表示パネル１２およびバックライト装置（バックライト）３０を、液晶表示パネル１２の表示面１２ａが露出した状態で収納した外ケース５０と、を備えている。バックライト装置３０は、液晶表示パネル１２に背面側から面状光を照射して照明する。
【００１１】
図１ないし図３に示すように、液晶表示パネル１２は、矩形平板状の第１基板ＳＵＢ１と、第１基板ＳＵＢ１に対向配置された矩形平板状の第２基板ＳＵＢ２と、第１基板ＳＵＢ１と第２基板ＳＵＢ２との間に封入された液晶層ＬＣと、を備えている。第２基板ＳＵＢ２の周縁部は、シール材ＳＥにより第１基板ＳＵＢ１に貼り合わされている。第２基板ＳＵＢ２の表面に偏光板ＰＬ２が貼付され、液晶表示パネル１２の表示面１２ａを形成している。第１基板ＳＵＢ１の表面（液晶表示パネル１２の背面）に偏光板ＰＬ１が貼付されている。
【００１２】
液晶表示パネル１２では、シール材ＳＥの内側の領域に液晶層ＬＣが封入され、矩形状の表示領域（アクティブ領域）ＡＲを構成している。液晶表示パネル１２は、バックライト装置３０からの光を表示領域ＡＲに選択的に透過させることで画像を表示する透過表示機能を備えた透過型である。なお、液晶表示パネル１２は、透過表示機能及び反射表示機能を備えた半透過型であっても良い。液晶表示パネル１２は、表示モードとして、主として基板主面に略平行な横電界を利用する横電界モードに対応した構成を有していても良いし、主として基板主面に略垂直な縦電界を利用する縦電界モードに対応した構成を有していても良い。また、液晶表示パネル１２は、図示しないタッチセンサを備えたタッチ入力可能な表示パネルとしてもよい。
【００１３】
図示した例では、第１基板ＳＵＢ１の短辺側の端部は、第２基板ＳＵＢ２の短辺よりも外側に突出し、この端部に駆動素子としての駆動ＩＣ１４が実装されている。また、第１基板ＳＵＢ１の端部に、フレキシブルプリント回路基板（ＦＰＣ）１６が接合され、液晶表示パネル１２から外方に延出している。ＦＰＣ１６は、配線を介して駆動ＩＣ１４に接続されている。
【００１４】
次に、バックライト装置３０の構成例を詳細に説明する。図２および図３に示すように、バックライト装置３０は、全体として、液晶表示パネル１２とほぼ等しい大きさの矩形板状に構成されている。バックライト装置３０は、例えば、合成樹脂で形成された矩形枠状の支持フレーム３２と、支持フレーム３２の背面に貼付された反射シート３４と、支持フレーム３２内に配置された複数の光学部材と、光学部材に入射する光を供給する光源ユニット４２と、を備えている。支持フレーム３２は、例えば、矩形枠状の遮光テープ３５により、第１基板ＳＵＢ１の背面の周縁部に貼付されている。支持フレーム３２の側壁内面に反射膜を形成してもよく、あるいは、支持フレーム３２自体を光反射機能を有する材料で形成するようにしてもよい。
【００１５】
光学部材は、支持フレーム３２内に配置された導光板３６、この導光板３６上に重ねて配置された複数枚の光学シート３８を含んでいる。導光板３６は、矩形板状に形成され、液晶表示パネル１２に対向する第１主面（出射面）３６ａ、この第１主面と反対側に位置し、反射シート３４に対向する第２主面（反射面）３６ｂ、および、第１主面と第２主面とを接続する複数の端面（側面）を有している。一方の短辺側の端面（側面）は、入射面３６ｃを構成している。
【００１６】
光学シート３８は、それぞれ光透過性を有し、導光板３６の出射面３６ａに重ねて載置されている。本実施形態では、光学シート３８として、例えば、ポリエチレンテレフタレート等の合成樹脂で形成された光拡散シート、２枚のプリズムシート等を用いている。これらの光学シート３８は、いずれもほぼ同一寸法の矩形状に形成され、導光板３６の出射面３６ａ上に順に重ねて載置されている。光拡散シートは弱い光拡散作用を持つため、これを光が透過することで光分布への影響が弱められる。プリズムシートを光が透過することで、光を正面に集光させ、正面輝度を向上させることができる。
【００１７】
光源ユニット４２は、細長い回路基板４４ａと、この回路基板４４ａ上に実装された複数の光源、例えば、発光素子（ＬＥＤ）４４ｂと、を有している。回路基板４４ａは支持フレーム３２に取付けられ、ＬＥＤ４４ｂは導光板３６の入射面３６ｃに対向している。複数のＬＥＤ４４ｂは、導光板３６の短辺に沿って、すなわち、入射面３６ｃに沿って、並んで配置され、入射面３６ｃのほぼ全面に亘って光を出射する。  
ＬＥＤ４４ｂから出射された光は、入射面３６ｃから導光板３６に入射し、導光板３６内を入射面３６ｃと直交する第１方向（縦方向Ｘ）に進む。入射光は、導光板３６内で反射を繰り返した後、出射面３６ａのほぼ全面から液晶表示パネル１２に向けて出射する。
【００１８】
図１ないし図３に示すように、外ケース５０は、例えば、アルミニウム、ステンレス、鉄等の金属板材により形成された矩形蓋形状のベースフレーム５０ａおよび枠状のカバーフレーム５０ｂを有している。ベースフレーム５０ａは、バックライト装置３０の支持フレーム３２の寸法よりも大きい寸法（長さ、幅）を有する矩形状の底壁５１ａと、底壁の各側縁に沿って立設された側壁５１ｂと、を有している。カバーフレーム５０ｂは、支持フレーム３２の寸法よりも大きい寸法（長さ、幅）を有する矩形枠状に形成されている。  
バックライト装置３０は、ベースフレーム５０ａ内に配置され、反射シート３４および支持フレーム３２は、ベースフレーム５０ａの底壁５１ａ上に載置される。カバーフレーム５０ｂは、液晶表示パネル１２の周縁部に被せて設けられ、ベースフレーム５０ａの側壁５１ｂに当接している。カバーフレーム５０ｂは、図示しない締結部材あるいは接着剤により、ベースフレーム５０ａに固定されている。これにより、液晶表示パネル１２およびバックライト装置３０は、液晶表示パネル１２の表示面１２ａが露出した状態で、特に、表示面１２ａの周縁部を除く有効表示領域が露出した状態で、外ケース５０内に収納されている。
【００１９】
次に、バックライト装置３０の導光板３６の構成例について、詳細に説明する。  
図４は、バックライト装置３０を概略的に示す平面図、図５は、導光板３６の出射面側を示す斜視図、図６は、導光板３６の出射面側の一部を拡大して示す斜視図である。
図４および図５に示すように、導光板３６は、それぞれ短冊状の複数枚、例えば、２〜８枚あるいはそれ以上の分割導光板を互いに貼り合わせることにより、１枚の導光板として構成されている。図示の例では、導光板３６は、４枚の分割導光板４０ａ、４０ｂ、４０ｃ、４０ｄで構成している。分割導光板４０ａ、４０ｂ、４０ｃ、４０ｄの各々は、例えば、ポリカーボネイト等の透明な樹脂により、長手方向（第１方向Ｘ）に延びる細長い矩形状に形成されている。本実施形態において、４枚の分割導光板４０ａ、４０ｂ、４０ｃ、４０ｄは、互いに同一の寸法（長さ、幅、および厚さ）に形成されている。分割導光板４０ａ、４０ｂ、４０ｃ、４０ｄは、同一平面上に互いに平行に並んで配置され、更に、隣合う２つの分割導光板は、粘着部材、例えば、接着剤４６により貼り合わされている。すなわち、各分割導光板４０ａ〜４０ｄは、矩形状の第１主面、第２主面、長手方向の一端に位置する入射面３６ｃ、および、第１主面および入射面３６ｃと直交する一対の長辺側の側面３６ｄを有している。４枚の分割導光板４０ａ〜４０ｄは、第１主面が面一に並んで、かつ、入射面３６ｃが面一に並んだ状態で配置されている。分割導光板４０ａ〜４０ｄの一方の側面３６ｄは、隣合う分割導光板の側面３６ｄと平行に対向し、粘着部材４６により両側面同志が貼り合わされている。分割導光板４０ａ〜４０ｄの両側面間の隙間は、０．１ｍｍ以下に設定されている。なお、分割導光板４０ａ、４０ｂ、４０ｃ、４０ｄは、同一の幅に限らず、互いに異なる幅を有する分割導光板を用いてもよい。
【００２０】
接着剤４６は、分割導光板４０ａ〜４０ｄの光学特性と異なる光学特性、例えば、屈折率を有している。接着剤４６は、例えば、透明な接着剤を用い、かつ、分割導光板４０ａ〜４０ｄの屈折率よりも低い屈折率を有する接着剤を用いている。なお、接着剤４６は、不透明あるいは白色の接着剤を用いてもよく、また、分割導光板の屈折率よりも高い屈折率を有する接着剤を用いてもよい。更に、粘着部材は、接着剤に限らず、粘着シート、両面テープ等を用いることも可能である。
【００２１】
光源ユニット４２は４板の分割導光板４０ａ、４０ｂ、４０ｃ、４０ｄに対応して４つのＬＥＤ４４ｂを有し、これらのＬＥＤ４４ｂは分割導光板４０ａ、４０ｂ、４０ｃ、４０ｄの入射面３６ｃにそれぞれ対向している。なお、各ＬＥＤ４４ｂは、１つの発光素子に限らず、複数の発光素子を含んでいてもよい。
【００２２】
導光板３６の第１主面３６ａおよび第２主面３６ｂの少なくとも一方は、複数の縦凸条（縦溝）を含む第１凹凸パターン７０ａを有している。本実施形態では、導光板３６の第１主面（出射面）３６ａは、複数の縦凸条（第１凸部）を含む第１凹凸パターンを有し、また、第２主面（反射面）３６ｂは、複数のドット状あるいは球状の第２凸部を含む第２凹凸パターン７０ｂを有している。
【００２３】
図４ないし図６に示すように、導光板３６の第１主面（分割導光板４０ａ〜４０ｄの第１主面）３６ａに形成された第１凹凸パターン７０ａは、それぞれ入射光の進行方向、すなわち、入射面３６ｃと直交する第１方向Ｘ、に延びる複数の縦凸条５４を有している。各縦凸条５４は、入射面３６ｃの近傍から導光板３６の他方の短辺近傍まで、導光板３６の長手方向のほぼ全長に亘って延在している。複数の縦凸条５４は、導光板３６の幅方向（入射面３６ｃと平行な方向）に互いに等間隔を置いて並んで設けられ、例えば、ピッチ１００μｍとしている。  
導光板３６の第１主面３６ａの面積に対して、複数の縦凸条５４の占有率（密度）は、５０〜８０％に設定され、本実施形態では、８０％としている。  
なお、縦凸条とは、導光板３６の外側から見て凸部であるが、導光板３６の内側から見た場合、凹部であり、縦溝と称することもできる。
【００２４】
図７Ａ、図７Ｂ、図７Ｃは、それぞれ導光板３６の縦凸条５４の断面形状を模式的に示す図である。縦凸条５４の横断面形状は、図７Ａに示すような半円の上部を平坦に切り取った切頭半円形状、図７Ｂに示すような台形状、あるいは図７Ｃに示すような凸状の天井部（溝の底）を複数の円弧、例えば、凸条の幅方向に並ぶ３つ円弧で構成した切頭円弧形状とすることができる。本実施形態では、図７Ｃに示す切頭円弧形状を採用している。  
図７Ａ、図７Ｂ、図７Ｃに示すような断面形状とすることにより、縦凸条５４の突出高さを低く抑えることができ、導光板３６全体の厚さを薄くすることが可能となる。
【００２５】
図７Ａ〜図７Ｃに示すように、縦凸条５４の幅Ｗは、例えば、１００μｍに形成されている。また、縦凸条５４の各側面（立上り面）と導光板３６の平坦面（第１主面３６ａ）とのなす角度（接触角）θは、４５〜７０度に形成され、本実施形態では、例えば、６０度に形成されている。図７Ｃに示すように、縦凸条５４の断面形状を、縦凸条５４の幅Ｗの１／２よりも小さい径の円弧を凸条の幅方向に複数並べた形状とした場合、突出高さが低く、かつ、接触角θの大きい縦凸条を容易に形成することが可能となる。
【００２６】
図８は、導光板３６の反射面側を示す斜視図、図９は、導光板３６の反射面側の一部を拡大して示す斜視図、図１０は、導光板の第２主面における第２パターンのパターン密度分布を第１方向Ｘおよび第２方向Ｙについて示す図である。  
図８および図９に示すうように、導光板３６の第２主面（分割導光板４０ａ〜４０ｄの第２主面）３６ｂに形成された第２凹凸パターン７０ｂは、それぞれ第２主面に突設された複数のドット状あるいは半球状の第２凸部５６を有している。分割導光板４０ａ〜４０ｄにおいて、第２凸部５６は、入射面３６ｃの近傍から分割導光板の他方の短辺近傍まで、導光板３６の第１方向Ｘ（長手方向）および第２方向Ｙ（幅方向）に並んで多数個設けられている。
【００２７】
図８ないし図１０に示すように、分割導光板４０ａ〜４０ｄの各々において、第１方向Ｘに沿った第２凸部５６のパターン密度（パターン設置密度）は、入射面３６ｃの近傍から分割導光板の他方の短辺近傍まで、徐々に増加し、すなわち、光源（ＬＥＤ）４４ｂから離れるに従って増加し、他方の短辺側で最もパターン密度が高くなっている。また、第２方向（幅方向）Ｙに沿った第２凸部５６のパターン密度（パターン設置密度）は、分割導光板４０ａ〜４０ｄの各々で相違している。すなわち、導光板３６の中央部に位置する２枚の分割導光板４０ｂ、４０ｃにおいて、第２方向Ｙに沿った第２凸部５６のパターン密度は、幅方向の中央部が高く幅方向両端側に向かってパターン密度が低下している。
【００２８】
導光板３６の第２方向Ｙの一端側に位置する分割導光板４０ａにおいて、第２方向Ｙに沿った第２凸部５６のパターン密度は、外側面側から中央部に向かって、すなわち、支持フレーム３２側から導光板３６の中央部に向かって、徐々に増加している。また、導光板３６の第２方向Ｙの他端側に位置する分割導光板４０ｄにおいて、第２方向Ｙに沿った第２凸部５６のパターン密度は、導光板３６の中央部側から外側面側に向かって、すなわち、導光板３６の中央部側から支持フレーム３２に向かって、徐々に低下している。  
このように、幅方向（第２方向Ｙ）両端側に位置する分割導光板４０ａ、４０ｄにおいては、支持フレーム３２側の領域のパターン密度を低くし、導光板３６の中央側のパターン密度を高くしている。これは、支持フレーム３２の内面に反射膜が形成され、分割導光板４０ａ、４０ｄの側面に対向しているため、分割導光板の支持フレーム側の反射率が中央側に比べて高くなる。そこで、上記のように、第２凸部５６のパターン密度を中央側よりも低くすることにより、分割導光板４０ａ、４０ｂにおける第２方向Ｙの反射率が均一となるようにしている。  
導光板３６の第２主面３６ｂに設けられた第２凹凸パターン７０ｂのパターン密度を、第１方向Ｘおよび第２方向Ｙについて上記のように設定することにより、第２主面３６ｂの全体で反射率をほぼ均一とすることができる。
【００２９】
以上のように構成された導光板３６を有するバックライト装置３０によれば、導光板３６を複数の分割導光板４０ａ〜４０ｄに分割し、これらを分割導光板と屈折率の異なる粘着部材４６により貼り合わせて１枚の導光板３６を構成することにより、光源としてのＬＥＤ４４ｂから分割導光板４０ａ〜４０ｄに入射した光は、各分割導光板内で反射を繰り返して伝播するとともに、分割導光板間の境界に位置する粘着部材４６により反射、拡散される。これにより、ＬＥＤ４４ｂから分割導光板４０ａ〜４０ｄに入射した光の広がりを絞り、第１方向Ｘに伝播させ、第２方向Ｙへの拡散を抑制することができる。  
更に、本実施形態では、各分割導光板４０ａ〜４０ｄの第１主面３６ａに多数の縦凸条５２ａを有する第１凹凸パターン７０ａが設けられているため、入射光に対する縦凸条５２ａの影響をより強くし、光の広がり抑制し絞ることができる。
【００３０】
以上のように構成された液晶表示装置によれば、複数のＬＥＤ４４ｂを部分点灯した場合、点灯しているＬＥＤから分割導光板４０ａ〜４０ｂに入射した光の広がりを抑制し、光が入射した領域内に絞り込むことができる。これにより、周囲の領域への光拡散を抑制し、液晶表示パネル１２の所望の領域のみに光を照射することができる。従って、ローカルディミング制御を適用し、表示画像のコントラストを高めることが可能な液晶表示装置が得られる。
なお、第１の実施形態において、導光板は、４枚の分割導光板で構成しているが、これに限らず、２枚、あるいは、５枚以上の分割導光板で構成するようにしてもよい。この場合、各分割導光板に対して１つあるいは複数の光源（ＬＥＤ）を設けてもよく、あるいは、複数の導光板に対して、１つあるいは複数の光源（ＬＥＤ）を設けても良い。更に、導光板の第２主面に設けられた第２凹凸パターンは、ドット状あるは球状の凸部に限らず、第１凹凸パターンと同様の縦凸条あるいは横凸条を用いることも可能である。
【００３１】
本発明の実施形態を説明したが、この実施形態は、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態やその変形例は、発明の範囲や要旨に含まれるとともに、特許請求の範囲に記載された発明とその均等の範囲に含まれる。
【００３２】
本発明の実施形態として上述した各構成を基にして、当業者が適宜設計変更して実施し得る全ての構成も、本発明の要旨を包含する限り、本発明の範囲に属する。例えば、液晶表示パネルおよび導光板の出射面は、平坦な平面に限らず、長手方向が凹となる曲面あるいは長手方向が凸となる曲面としてもよい。液晶表示パネルおよびバックライト装置の構成部材は、矩形状に限定されることなく、５角形以上の多角形、楕円形、トラック形状等の他の形状としてもよい。また、構成部材の材料は、上述した例に限らず、種々選択可能である。  
上述した実施形態あるいは変形例によりもたらされる他の作用効果について本明細書の記載から明らかなもの、又は当業者において適宜想到し得るものついては、当然に本発明によりもたらされるものと解される。
【符号の説明】
【００３３】
１０…液晶表示装置、１２…液晶表示パネル、  
３０…照明装置（バックライト装置）、３２…支持フレーム、３４…反射シート、  
３６…導光板、３６ａ…第１主面（出射面）、３６ｂ…第２主面（反射面）、  
３６ｃ…端面（入射面）、４０ａ、４０ｂ、４０ｃ、４０ｄ…分割導光板、  
４２…光源ユニット、４４ｂ…光源（ＬＥＤ）、４６…粘着部材（接着剤）、  
５４…縦凸条（第１凸部）、５６…第２凸部、７０ａ…第１凹凸パターン、  
７０ｂ…第２凹凸パターン、５０…外ケース
【図１】
2018017804.tif 000003
【図２】
2018017804.tif 000004
【図３】
2018017804.tif 000005
【図４】
2018017804.tif 000006
【図５】
2018017804.tif 000007
【図６】
2018017804.tif 000008
【図７Ａ】
2018017804.tif 000009
【図７Ｂ】
2018017804.tif 000010
【図７Ｃ】
2018017804.tif 000011
【図８】
2018017804.tif 000012
【図９】
2018017804.tif 000013
【図１０】
2018017804.tif 000014